(57)【要約】【課題】本件は、筐体内に交換可能な部品とバッテリを備えた電子機器に関し、薄型化を維持しつつその交換可能な部品の安全な交換を保証する。【解決手段】交換可能な部品と、前記部品に電力供給する着脱可能なバッテリと、その部品が収容される部品収容開口と部品収容開口に隣接しバッテリが収容されるバッテリ収容開口２１２とを有する筐体と、部品収容開口を覆い筐体の外面の一部を成す蓋体４３９とを備え、蓋体４３９が、部品収容開口に収容された部品を覆う覆い部４３９ａと、バッテリ収容開口２１２側に延在する延在部４３９ｂとを有し、バッテリが、バッテリ収容開口に収容されたときに延在部４３９ｂに被さって蓋体４３９の部品収容開口からの取外しを不能にする。【選択図】        図７
2010250514.tif 000002
【特許請求の範囲】
【請求項１】
交換可能な部品と、
前記部品に電力供給する着脱可能なバッテリと、
前記部品が収容される部品収容開口と該部品収容開口に隣接し前記バッテリが収容されるバッテリ収容開口とを有する筐体と、
前記部品収容開口を覆い前記筐体の外面の一部を成す蓋体とを備え、
前記蓋体が、前記部品収容開口に収容された前記部品を覆う覆い部と、前記バッテリ収容開口側に延在する延在部とを有し、
前記バッテリが、前記バッテリ収容開口に収容されたときに前記延在部に被さって前記蓋体の前記部品収容開口からの取外しを不能にするものであることを特徴とする電子機器。
【請求項２】
前記バッテリが、前記バッテリ収容開口に収容されるバッテリ本体部と、該バッテリ本体部に重なって広がり前記筐体の外面の一部を成す蓋部とを有するとともに、該蓋部が、該バッテリ本体部から食み出して該バッテリ本体部の周面に沿って延在する鍔部を有し、
前記筐体が、前記バッテリ収容開口の周りに、該筐体外面から一段下がって該バッテリ収容開口に沿って延在し該バッテリ収容開口に収容される前記バッテリの前記鍔部を支持する支持縁を有し、
前記延在部が、前記支持縁に隣接して該支持縁と同一面を形成し、
前記鍔部が、前記支持縁と前記延在部との双方に被さることを特徴とする請求項１記載の電子機器。
【請求項３】
前記筐体が、前記部品収容開口を形成する、前記バッテリ収容開口に隣接する側の横壁と、該横壁と角部を共有する前壁とを有し、
前記蓋体が、前記前壁を回動軸とする回動により開閉する蓋体であって、
前記延在部が、前記横壁の、前記角部から離れた側の端部に対応する位置に形成されていることを特徴とする請求項１又は２記載の電子機器。
【請求項４】
前記部品が、ハードディスク媒体が搭載され該ハードディスク媒体上に情報を記録するハードディスクドライブユニットであることを特徴とする請求項１から３のうちいずれか１項記載の電子機器。
【請求項５】
当該電子機器が、上面にキーボードを有する演算ユニットと、表示画面を有し前記演算ユニットに開閉自在に支持された表示ユニットとを備えた電子機器であり、
前記筐体が、前記演算ユニットの筐体であって、前記部品収容開口および前記バッテリ収容開口を底面に有することを特徴とする請求項１から４のうちのいずれか１項記載の電子機器。
【発明の詳細な説明】
【技術分野】
【０００１】
本件は、筐体内に交換可能な部品とバッテリを備えた電子機器に関する。
【背景技術】
【０００２】
例えばノート型パーソナルコンピュータ（以下、「ノートＰＣ」と略記する）は、バッテリを備えていて、外部からの供給電力で動作可能であるとともに、そのバッテリだけでも動作可能である。また、ノートＰＣには、一般的に、ハードディスクドライブユニット（以下、「ＨＤＤユニット」と略記する）が搭載されている。このＨＤＤユニットは、寿命が比較的短く、筐体内に容易に交換可能に収容されている。
【０００３】
ここで、稼動中のＨＤＤユニットがいきなり取り外されないように、バッテリをＨＤＤユニットの上に重ねた配置とし、バッテリを取り外してからでないとＨＤＤユニットを取り外すことができない構造が提案されている。しかしこの構造の場合、ＨＤＤユニットとバッテリが重ねられた位置に配置されているため装置筐体が厚くなり、薄型化の要請に反する。
【０００４】
また、バッテリが取り外されそうになったことを検知してデータを直ちに退避させることによりデータ破壊を免れる技術が提案されている。しかしこれは、バッテリよりもＨＤＤユニットの方が先に取り外されないようにすること、あるいはＨＤＤユニットの方を先に取り外された場合にＨＤＤユニットの破損等を防止することの対策にはなっていない。
【０００５】
以上の事情は、ＨＤＤユニットに限らず、バッテリよりも先に取り外されるのを防止する必要のある交換部品が存在する場合に共通の事情である。
【０００６】
また、以上の事情は、ノートＰＣに限らず、同様の問題を生じ得る電子機器一般に共通する事情である。
【先行技術文献】
【特許文献】
【０００７】
【特許文献１】特開２００２−１８２７８８号公報
【特許文献２】特公平８−２０９２０号公報
【特許文献３】特開２００３−３４６７５５号公報
【発明の概要】
【発明が解決しようとする課題】
【０００８】
本件の課題は、筐体内に交換可能な部品とバッテリが存在する電子機器において、薄型化を維持しつつその交換可能な部品の安全な交換を保証することにある。
【課題を解決するための手段】
【０００９】
本件の電子機器は、交換可能な部品と、バッテリと、筐体と、蓋体とを備えている。
【００１０】
ここで、筐体は、上記部品が収容される部品収容開口とその部品収容開口に隣接しバッテリが収容されるバッテリ収容開口とを有する。
【００１１】
また、蓋体は、部品収容開口を覆い筐体の外面の一部を成すものであって、部品収容開口に収容された部品を覆う覆い部と、バッテリ収容開口側に延在する延在部とを有する。
【００１２】
また、上記バッテリは、バッテリ収容開口に着脱可能であり、上記部品に電力供給するものであって、バッテリ収容開口に収容されたときに上記延在部に被さって上記蓋体の部品収容開口からの取外しを不能にする。
【発明の効果】
【００１３】
本件の電子機器によれば、上記蓋体の延在部にバッテリが被さる構造であるため、バッテリを取り外さないと部品が取り外されず、部品の安全性が保証される。また、その延在部は、部品から外れた位置にあるため、バッテリと部品は重ならずに薄型化を維持できる。
【図面の簡単な説明】
【００１４】
【図１】ノートＰＣの閉状態の斜視図である。
【図２】図１に閉状態を示すノートＰＣの開状態の斜視図である。
【図３】開状態のノートＰＣの右側面を示した斜視図である。
【図４】開状態のノートＰＣの左側面を示した斜視図である。
【図５】開状態のノートＰＣの底面を眺めたときの斜視図である。
【図６】開状態のノートＰＣの底面を別の角度から眺めたときの斜視図である。
【図７】演算ユニット底面の、バッテリ収容開口の部分を、バッテリを取り外して示した図である。
【図８】取り外されたバッテリを裏返して示した図である。
【図９】ＨＤＤユニットを覆う蓋体の延在部の周りを示した拡大斜視図である。
【図１０】ＨＤＤユニット収容開口内に収容された状態のＨＤＤユニットを示す図である。
【図１１】ＨＤＤユニット収容開口から取り外した状態の蓋体を示す斜視図である。
【図１２】蓋体の内面を示す斜視図である。
【図１３】ＨＤＤユニットを取り外した後のＨＤＤユニット収容開口の斜視図である。
【図１４】ＨＤＤユニットを取り外した後のＨＤＤユニット収容開口を別の視点から見て示した斜視図である。
【図１５】ＨＤＤユニットの斜視図である。
【図１６】ＨＤＤユニットを別の視点から見て示した斜視図である。
【図１７】ＨＤＤユニットの底面を示した図である。
【図１８】ＨＤＤユニットをＨＤＤ本体とカバー部材とに分けて示した斜視図である。
【図１９】ＨＤＤユニットのカバー部材の斜視図である。
【図２０】ＨＤＤユニットのカバー部材を別の視点から見たときの斜視図である。
【図２１】ＨＤＤユニットのカバー部材をさらに別の視点から見たときの斜視図である。
【図２２】演算ユニットの上面の奥側のカバー部材を取り外し、さらにスピーカも取り外した状態のノートＰＣを示す図である。
【図２３】左側のスピーカ配置部を示した拡大斜視図である。
【図２４】右側のスピーカ配置部を示した拡大斜視図である。
【図２５】スピーカを背面側から見たときの斜視図である。
【図２６】左側のスピーカ配置部にスピーカが配置された状態を示した拡大斜視図である。
【図２７】右側のスピーカ配置部にスピーカが配置された状態を示した拡大斜視図である。
【図２８】スピーカ等を覆うカバー部材とキーボードの双方を取り外した状態の演算ユニット上面側を示した図である。
【図２９】図２８に示す状態からさらにスピーカを取り外した状態の演算ユニット上面側を示した図である。
【図３０】スピーカの支持を担う基板を兼ねた上面カバーの裏面側を示した図である。
【図３１】上面カバー裏面の、支持金具の部分を示す拡大斜視図である。
【図３２】その支持金具を前面カバーから取り外して、その支持金具の上面側を示した拡大斜視図である。
【図３３】回路基板付きの支持金具を取り外して指紋センサを間に挟む２つの操作ボタンの内面を示した斜視図である。
【図３４】右側の操作スイッチの内面を示す拡大斜視図である。
【図３５】左側の操作スイッチの内面を示す拡大斜視図である。
【図３６】演算ユニットの、上面カバーを取り外した状態の斜視図である。
【図３７】メイン基板を示す斜視図である。
【図３８】メイン基板の、図３７に示す側の面の、電源用のコネクタの部分の拡大斜視図である。
【図３９】メイン基板の、図３７に示す側の面を別の視点から見たときの、電源用のコネクタの部分の拡大斜視図である。
【図４０】メイン基板の、図３７に示す面に対する裏面の、電源用コネクタの部分の拡大斜視図である。
【図４１】電源用コネクタ単独の斜視図である。
【図４２】支持金具を示した斜視図である。
【図４３】支持金具を別の視点から見て示した斜視図である。
【図４４】電源用のコネクタに支持金具を組み合わせた状態の斜視図である。
【図４５】放熱モジュールを取り外した状態のメイン基板の第１面を示す斜視図である。
【図４６】メイン基板を取り外した状態の、底面カバーの内側を示した斜視図である。
【図４７】放熱モジュールを示す斜視図である。
【図４８】放熱モジュールを、メイン基板から取り外した状態のまま、底面カバー内の規定位置に置いた状態を示す斜視図である。
【図４９】図４８のＸ−Ｘ断面図である。
【図５０】係止解除ボタンが、表示ユニットの上面（前端面）から突出した状態を示した図である。
【図５１】係止解除ボタンが押下された状態を示した図である。
【図５２】フックおよび係止解除ボタンの部分の断面図である。
【図５３】比較例を示した、図５２に対応する図である。
【図５４】表示ユニットの前カバーの内面を示した斜視図である。
【図５５】前カバー内面のフック等からなるフック構造の部分の拡大斜視図である。
【図５６】フック構造の部分の分解斜視図である。
【図５７】第２フック部材のフックホルダ側の面（Ａ）と第１フック部材側の面（Ｂ）を示した平面図である。
【図５８】第２フック部材のフックホルダ側の面（Ａ）と第１フック部材側の面（Ｂ）を示した斜視図である。
【発明を実施するための形態】
【００１５】
以下本件の実施形態について説明する。
【００１６】
（外観）
図１は、電子機器の一実施形態であるノート型パーソナルコンピュータ（ノートＰＣ）の閉状態の斜視図である。また、図２は、図１に閉状態を示すノートＰＣの開状態の斜視図である。また、図３，図４は、その開状態のノートＰＣの、それぞれ右側面、左側面を示した斜視図である。さらに、図５，図６は、開状態のノートＰＣの底面を、それぞれ別の角度から眺めたときの斜視図である。
【００１７】
ここでは、これらの図１〜図６を参照して、一実施形態としてのノートＰＣの外観について説明する。
【００１８】
このノートＰＣ１０は、演算ユニット２０と表示ユニット３０を有する。この表示ユニット３０は、演算ユニット２０の奥側に回動軸４０を有し、その回動軸４０を中心に、図１に示す、演算ユニットに重ねられた閉状態と、図２に示す、演算ユニット２０から開いた開状態との間で回動する。表示ユニット３０が閉状態から開状態に移行するには、表示ユニット３０の、閉状態における前端面３１１側を持ち上げるようにして、表示ユニット３０を回動軸４０の回りに回動させる。この閉状態における表示ユニット３０の前端面は、表示ユニット３０を直角に開いた開状態（以下、特に断らずに単に開状態と表現することがある）における上面のことである。ここで、回動軸４０は、表示ユニット３０を、フリクションを伴って回動させる構造を有し、表示ユニット３０は、演算ユニット２０に対し任意の角度に開いた状態でその開き角を維持するように構成されている。図１から分かるように、演算ユニット２０および表示ユニット３０は、それぞれ概略直方体の外形をもつ。
【００１９】
演算ユニット２０は、内部にＣＰＵチップ等が搭載された、演算処理機能を持つ回路基板や、情報を記憶しておくハードディスクドライブユニット（ＨＤＤユニット）などの多数の部品が搭載されている。また、ＣＰＵチップは、発熱を伴って動作する発熱電子部品であり、そのＣＰＵチップを空冷するための、ファン等からなる放熱モジュールも搭載されている。
【００２０】
また、この演算ユニット２０の上面奥側には、電源ボタン２２や各種のファンクションボタン２３が設けられており、また、この演算ユニット２０の筐体２１には左右一対の放音口２４が形成されている。これら左右一対の放音口２４の内側には、それぞれスピーカが置かれており、それらのスピーカから発せられた音は、これら放音口２４から外に放音される。
【００２１】
また、演算ユニット２０の上面中央には、このノートＰＣ１０に対し各種の情報や指示を入力するためのキーボード２５が配置されている。
【００２２】
さらにその手前には、トラックパッド２６、トラックパッド用の左右の操作ボタン２７、および左右の操作ボタン２７の中央に指紋センサ２８が設けられている。
【００２３】
トラックパッド２６は、その上に指を当てて動かす操作に応じて、後述する表示画面３２上のカーソルを移動させるためのものである。また、左右の操作ボタン２７は、マウス（図示せず）の左右のボタンに相当し、表示画面上の任意の位置に移動させたカーソルと重なったアイコン等を指定したり、表示画面３２上にメニュー画面を表示させたりする役割りを有する。また、指紋センサ２８は、登録されている指紋と一致する指紋が検出された場合にのみこのノートＰＣを起動させるなどの、セキュリティ用のものである。
【００２４】
また、演算ユニット２０の上面の手前側には、その演算ユニット２０の筐体２１に設けられたロック用の穴２９を有する。このロック用の穴２９には、開状態（図２参照）から閉状態（図１参照）に移行したときに、後述する表示ユニット３０の開状態における前面上部に設けられたフック３３が入り込んで係止する。この係止により、表示ユニット３０は演算ユニット２０上に重ねられた閉状態を維持して、不用意には開かないようになっている。表示ユニット３０の閉状態における前端面（開状態における上面）３１１からは係止解除ボタン３４が突出している。この係止解ボタン３４が前端面（上面）３１１に向かって押されると、それに連動してフック３３が係止解除位置（後述する）に移動してロック用の穴２９との係止が外れる。そこで、この係止解除ボタン３４を押したままその前端面（上面）３１１側を持ち上げることにより表示ユニット３０を図２に示す状態に開くことができる。
【００２５】
また、図３に示す演算ユニット２０の右側面には、ＡＣ電力をＤＣ電力に変換してこのノートＰＣ１０に供給するＡＣアダプタ（図示せず）のコネクタが差し込まれる電源差込口２１１が形成されている。この電源差込口２１１の内部には、そのＡＣアダプタのコネクタと組み合う電源用コネクタが配置されている。このノートＰＣは、ＡＣアダプタのコネクタが電源差込口２１１に差し込まれて電源用コネクタと組み合って電力の供給を受け、その電力で動作する。また、このノートＰＣ１０には、ＡＣアダプタからの供給電力を受けて充電されるバッテリが内蔵されている。このバッテリは後述するように演算ユニット２０に対して着脱可能である。このノートＰＣ１０は、そのバッテリの電力だけで動作し続けることもできる。なお、ＡＣアダプタは、一般的に、ＡＣ／ＤＣ変換部、ＡＣ／ＤＣ変換部と商用電源コンセント間を接続し先端にそのコンセントに差し込まれるプラグを有する第１ケーブル部、ＡＣ／ＤＣ変換部とノートＰＣ１０間を接続し先端に電源差込口２１１の電源用コネクタに差し込まれるコネクタを有する第２ケーブル部で構成される。
【００２６】
また、この演算ユニット２０の右端面には、電源差込口２１１以外の、ＵＳＢコネクタやオーディオ用のマイクロホン／イヤホーン用のジャックなどの差込口も形成されている。
【００２７】
また、図４に示す演算ユニット２０の左側面には、ＣＤ／ＤＶＤドライブユニットの外面４１１やカードスロット４１２などが設けられている。
【００２８】
さらに、図５，図６に示す、演算ユニット２０の底面には、バッテリの蓋部４２２、内部にＨＤＤユニットが収容された開口を塞ぐ蓋体４３９、および、内部にメモリ基板が差し込まれるコネクタが配置された開口を塞ぐ蓋体４４０が設けられている。さらに、演算ユニット２０の筐体２１の底面から背面にかけて内部のファンから送風を外部に放出する空気放出開口４４１（図６参照）が形成されている。演算ユニット２０の背面には、いくつかのコネクタ等が配列されている。
【００２９】
また、表示ユニット３０の開状態の前面には演算ユニット２０の指示に応じた画像を表示する表示パネルである表示画面３２が広がっており、その表示画面３２の周囲は、表示ユニット３０の筐体３１を形成する前面カバー３１１で覆われている。
【００３０】
この表示ユニット３０の筐体３１は、その前面カバー３１１と、表示画面の背面側を覆う背面カバー３１２（図１参照）とで構成されている。表示パネルである表示画面３２は、この前面カバー３１１と背面カバー３１２に挟まれて筐体３１内に収納される。この前面カバー３１１は、表示ユニット３０の筐体３１のうち前面筐体を形成する。また、背面カバー３１２は、表示ユニット３０の筐体３１のうち背面筐体を形成する。
【００３１】
この表示ユニット３０の開状態における前面上部には、フック３３が突出している。このフック３３は、上述したとおり、閉状態において、演算ユニット２０の筐体２１に設けられたロック用の穴２９に入り込んで係止される。また、この表示ユニット３０の開状態における上面（閉状態における前端面）３０１（図１参照）からは係止解除ボタン３４が突出している。その係止解除ボタン３４を開状態における上面（閉状態における前端面）３０１に向けて押下すると、フック３３がロック用穴２９との係止が解除される位置に移動する。したがって、図１に示す閉状態にあるときに係止解除ボタン３４を押しながら表示ユニット３０の前端面３０１上に持ち上げるように表示ユニット３０を回動させることにより、図２に示すように開くことができる。
【００３２】
また、表示ユニット３０の開状態の前面上部には、表示ユニット３０を演算ユニット２０上に重ねたときに演算ユニット２０の上面に当たる複数のパッド３５が配置されている。
【００３３】
（ＨＤＤカバー取付構造）
図７は、演算ユニット底面（図５、図６参照）の、バッテリ収容開口の部分を、バッテリを取り外して示した図である。
【００３４】
また図８は、その取り外されたバッテリを裏返して示した図である。
【００３５】
図７には、演算ユニット２０の筐体２１の底面に形成されたバッテリ収容開口２１２があらわれている。バッテリ４２０は、本体部４２１と蓋部４２２とを有する。この本体部４２１にバッテリセルが収納されている。バッテリ４２０は、バッテリ収容開口２１２に対して着脱可能なユニットである。本体部４２１はバッテリ収容開口２１２に収容される。バッテリ収容開口４１２内にはコネクタ５０１が露出しており、このコネクタ５０１は図８に示すバッテリ４２０の本体部４２１に設けられたコネクタ４２３と結合する。バッテリ４２０はそれらのコネクタ５０１，４２３を経由して充電され、また、バッテリ４２０に蓄えられた電力がそれらのコネクタ５０１，４２３を経由してノートＰＣ１０の各部へと供給される。
【００３６】
また蓋部４２２は本体部４２１に重なって広がり筐体の外面の一部を成す。この蓋部４２２は、本体部４２１からはみ出して本体部４２１の周面に沿って延在する鍔部４２２ａを有する。一方、筐体２１には、バッテリ収容開口２１２の周りに筐体２１の底面から一段下がってバッテリ収容開口に沿って延在する支持縁２１３を有する。バッテリ４２０の鍔部４２２ａは、バッテリ４２０の本体部４２１がバッテリ収容開口２１２に収容されたときに、そのバッテリ収容開口２１２の周りに形成された支持縁２１３に支持され、係止部４２２ｂによりバッテリ収容開口２１２に係止される。
【００３７】
また、演算ユニット２０の筐体２１の底面には、バッテリ収容開口２１２ａに隣接して、ＨＤＤユニットが収容されるＨＤＤユニット収容開口４１４（図１０参照）が形成されている。そのＨＤＤユニット収容開口４１４にはＨＤＤユニット４３０が収容され（図１０参照）、そのＨＤＤユニット４３０が蓋体４３９（図８参照）で覆われている。この蓋体４３９には、ＨＤＤユニット収容開口４１４に収容されたＨＤＤユニット４３０を覆う覆い部４３９ａとバッテリ収容開口側に延在する延在部４３９ｂとを有する。
【００３８】
図９は、ＨＤＤユニットを覆う蓋体の延在部の周りを示した拡大斜視図である。この図９ではバッテリ４２０がバッテリ収容開口２１２から少しだけ浮かせた状態が示されている。
【００３９】
蓋体４３９の延在部４３９ｂは、バッテリ収容開口２１２の周りに形成された、支持縁２１３に隣接してその支持縁２１３と同一面を形成している。バッテリ４２０は、バッテリ４２０の蓋部４２２の周縁部分である鍔部４２２ａが、支持縁２１３と延在部４３９ｂとの双方に被さるようにして、バッテリ収容開口２１２内に収容される。
【００４０】
このため、蓋体４３９は、バッテリ４２０がバッテリ収容開口４１２に収容されている限り、取外すことができない。したがってその蓋体４３９の内側の、ＨＤＤユニット収容開口４３１（図１０参照）内に収容されているＨＤＤユニット４３０もそのＨＤＤユニット収容開口４３１から取り外すことはできない。したがって、バッテリ４２０とＨＤＤユニット４３０の取外し順序は必ずバッテリ４２０の方が先である。これにより、ＨＤＤユニット４３０に通電したままＨＤＤユニット４３０が取り外されることに起因する、ＨＤＤユニット４３０の破損やそのＨＤＤユニット４３０に記憶された情報の棄損が防止される。
【００４１】
図１０は、ＨＤＤユニット収容開口内に収容された状態のＨＤＤユニットを示す図である。また図１１はＨＤＤユニット収容開口から取り外した状態の蓋体を示す斜視図、図１２はその蓋体の内面を示す斜視図である。
【００４２】
ＨＤＤユニット収容開口４３１を覆う蓋体３４９（図５、図６参照）を取り外すと、図１０に示すようにＨＤＤユニット収容開口４１４内に収容されたＨＤＤユニット４３０があらわれる。
【００４３】
ＨＤＤユニット収容開口４１４は、演算ユニット２０の筐体２１の底面の、バッテリ４２０（図８参照）が収容されるバッテリ収容開口２１２に隣接した位置に形成されている。このＨＤＤユニット収容開口４１４は、バッテリ収容開口２１２に隣接する側壁４１４ａと、その側壁４１４ａと角部４１４ｂを共有する前壁４１４ｃを含んで形成されている。また、このＨＤＤユニット収容開口４１４の前壁４１４ａには、蓋体４３９に形成された２つの爪部４３９ｃ（図１２参照）が入る込む２つの穴４１４ｄが形成されている。さらに蓋体４３９には、爪部４３９ｃが形成された側とは反対側に、ＨＤＤユニット収容開口４１４に形成された２つの窪み４１４ｅに入り込む突部４３９ｄが形成されている。さらにＨＤＤユニット収容開口４１４には、２つの窪み４１４ｅにそれぞれ隣接する位置に２つのネジ穴４１４ｆが形成されている。これに対応して、蓋体４１９には、２つのネジ穴４１４ｆに対応する位置に２つの穴４３９ｅが形成されている。蓋体４３９は、爪部４３９ｃが穴４１４ｄに入り込み、突部４３９ｄが窪み４１４ｅに入り込んで位置決めされ、穴４３９ｅを貫いてネジ穴４１４ｆに螺入するネジにより、ＨＤＤユニット収容開口４１４を覆うように固定される。したがって、固定された状態の蓋体４３９を取り外すには、その蓋体４３９を固定しているネジを外した後、その蓋体４３９のネジを外した側を持ち上げるように回動させながら取り外すことになる。ここで、蓋体４３９の、前述した延在部４３９ｂは、ＨＤＤユニット収容開口４１４の、バッテリ収容開口２１２側の側壁４１４ａと前壁４１４ｃとで共有する角部４１４ｂから離れた側の端部に対応する位置に形成されている。すなわち、この延在部４３９ｂは蓋体４３９を取り外す際に持ち上げられる側に形成されている。このため、バッテリ４２０の鍔部４２２ａがその延在部４３９ｂに被さっていることによりバッテリ４２０を取り外すよりも先に蓋体４３９が取り外されることが確実に防止される。
【００４４】
なお、本実施形態は上述のようにＨＤＤユニットを対象にしているが、メモリ基板や通信モジュールなど他の種類の電子部品を対象にしても本技術は有効である。
【００４５】
（ＨＤＤユニット取付構造）
図１３、図１４は、ＨＤＤユニットを取り外した後のＨＤＤユニット収容開口をそれぞれ異なる視点から見て示した斜視図である。
【００４６】
このＨＤＤ収容開口４１４は、前述したバッテリ収容開口２１２側の側壁４１４ａおよび前壁４１４ｃに加え、さらに反対側の側壁４１４ｇおよび底面４１４ｉを有する。また前面４１４ｃにはコネクタ４１５が配置されている。さらに、バッテリ収容開口２１２から離れた側の側面４１４ｇにはＨＤＤユニット収容開口４１４内に突起した突起部４１４ｈを有する。また底面４１４ｉの前面４１４ｃから離れた側の端部では接地用部材４１６が底面４１４ｉから突き出ている。
【００４７】
図１５、図１６はＨＤＤユニットを互いに異なる視点から見て示した斜視図である。また、図１７は、ＨＤＤユニットの底面を示した図である。さらに、図１８は、ＨＤＤユニットをＨＤＤ本体とカバー部材とに分けて示した斜視図である。さらに、図１９、図２０、図２１はＨＤＤユニットのカバー部材をそれぞれ異なる視点から見たときの斜視図である。
【００４８】
ＨＤＤユニット４３０は、ＨＤＤ本体４３１とカバー部材４３２とで構成されている。
【００４９】
ＨＤＤ本体４３１は、図１８に示すようにカバー部材４３２に覆われる第１面４３１ａと、第１面４３１ａと平行に広がりＨＤＤドライブ収容開口４１４の底面４１４ｉ（図１３、図１４参照）に接する第２面４３１ｂ（図１７参照）とを有する。また、このＨＤＤ本体４３１はさらに、第１面４３１ａと第２面４３１ｂを取り巻く、前端面４３１ｃと左右の側面４３１ｄ，４３１ｅと、後端面４３１ｆとを有する。
【００５０】
図１７に示すように、第２面４３１ｂには剥き出しの回路基板４３１ｇが広がっており、その回路基板４３１ｇの前端には、コネクタ４３１ｈが設けられている。このコネクタ４３１ｈは、ＨＤＤユニット収容開口４１４の前面４１４ｃ（図１３、図１４参照）に配置されてコネクタ４１５と組み合うコネクタである。また、ＨＤＤ本体４３１の第２面４３１ｂに広がる回路基板４３１ｇは、幅方向の一部分はＨＤＤ本体４３１の長さいっぱいに広がっており、ＨＤＤ本体４３１の底面の後端側の一部領域については、ＨＤＤ本体４３１の樹脂製の基体４３１ｉが広がっている。
【００５１】
また、ＨＤＤユニット４３０を構成するカバー部材４３２は、板金加工で形成された部材である。このカバー部材４３２はＨＤＤ本体４３１の第１面４３１ａ（図１８参照）を覆う覆い部４３２ａとＨＤＤ本体４３１の左右の側面４３２ｄ，４３２ｅにそれぞれ沿って折れ曲がった左右の折曲部４３２ｂ，４３２ｃを有する。さらにこのカバー部材４３２は、ＨＤＤ本体４３１の後端面４３１ｆに沿って折れ曲がった接地部４３２ｄを有する。この接地部４３２ｄは、ＨＤＤユニット収容開口４１４の底面４１４ｉから突出した接地用部材４１６（図１３、図１４参照）に接する部分である。尚、接地用部材４１６は、ＨＤＤユニット４３０がＨＤＤユニット収容開口４１４に収容された状態における、そのＨＤＤユニット４３０を構成するＨＤＤ本体４３１の後端面４３１ｆの直ぐ外側に外れた位置にある。このため、ＨＤＤユニット４３０を構成するカバー部材４３２の接地部４３２ｄがその接地用部材４１６の上に乗り、その接地部４３２ｄと接地用部材４１６が導通する状態となる。
【００５２】
このカバー部材４１２の右側の側面４３２ｂには、鉤形の切欠部４３２ｅが形成されている。この切欠部４３２ｅは、ＨＤＤユニット収容開口４１４の右側面４１４ｇからそのＨＤＤユニット収容開口４１４内に突出している突起部４１４ｈを受け入れる切欠部である。この切欠部４３２ｅは第１の切欠部４３２ｆと第２の切欠部４３２ｇとからなる。第１の切欠部４３２ｆは、突起部４１４ｈを受け入れ易いように受入口が広がった形状を有している。この第１の切欠部４３２ｆは、ＨＤＤ本体４３１の第２面４３１ｂをＨＤＤユニット収容開口４１４の底面４１４ｉに対面させてＨＤＤユニット４３０を底面４１４ｉに近づけていったときに、突起部４１４ｈを収容する切欠部である。ＨＤＤ本体４３１の第２面４３１ｂがＨＤＤユニット収容開口４１４の底面４１４ｉに接するまで移動させた後、今度はＨＤＤ本体４３１の前端面４３１ｃがＨＤＤユニット収容開口４１４の前壁４１４ｃに近づく方向に移動させる。第２の切欠部４３２ｇは、第１の切欠部４３２ｆに連なる切欠部であって、この後半の移動の際に突起部４１４ｈを受け入れる切欠部である。ＨＤＤ本体４３１の前端面４３１ｃを前壁４１４ｃに近づける方向にＨＤＤユニット４３０を移動させると、コネクタ４３１ｈ（図１７参照）がＨＤＤユニット収容開口４１４の前壁４１４ｃのコネクタ４１５と組み合う。これにより、このＨＤＤユニット４３０に必要な電力供給が行なわれ、またこのＨＤＤユニット４３０とノートＰＣ１０の本体との間で信号の送受信が行なわれる。
【００５３】
このように、第２面４３１ｂをＨＤＤユニット収容開口４１４の底面４１４ｉに向け、かつＨＤＤ本体４３１の前端面４３１ｃをＨＤＤユニット収容開口４１４の前壁４１４ｃに向けて、ＨＤＤユニット４３１を底面４１４ｉ側に移動させる。ここではこれを「第１の移動」と称する。この第１の移動の後、前端部４３１ｃが前壁４１４ｃに近ずく方向にＨＤＤユニット４３０を移動させる。ここではこれを「第２の移動」と称する。ＨＤＤユニット４３０は、このような第１の移動と第２の移動との２段階の動きによりＨＤＤ収容開口４１４に収容される。ここで突起部４１４ｈおよび第１の切欠部４３２ｆは、上記の第１の移動により接地用部材４１６がＨＤＤ本体４３１の第２面４３１ｂの基体４３１ｉに接する位置に設けられている。したがって、その第１の移動に続く第２の移動でも、接地用部材４１６はＨＤＤ本体４３１の基体４３１ｉのみと擦れる。すなわち、このＨＤＤユニット４３０をＨＤＤユニット収容開口４１４に収容させる動き、およびその逆の取り出す動きにおいて、接地用部材４１６は、剥き出しに配置されている回路基板４３１ｇには接触しない。このように、回路基板４３１ｇは、接地用部材４１６との接触や擦れを免れ、破損が防止される。すなわち、突起部４１４ｈと切欠部４３２ｃを形成したことで、ＨＤＤユニット収容開口４１４の底面４１４ｉに接地用部材４１６という部材を安全に配置することを可能としている。このように、この突起部４１４ｈと切欠部４３２ｅとにより部品又は部材のレイアウトの自由度を向上させている。
【００５４】
ここで、突起部４１４ｈはＨＤＤユニット収容開口４１４の左右の両側面４１４ａ，４１４ｇのうちの右側の側面４１４ｇにのみ形成されており、バッテリ収容開口２１２に隣接した左側の側面４１４ａには形成されていない。ＨＤＤユニット４３０は比較的振動に弱い部品であり、周囲の振動をできる限り受け難くすることが必要である。この突起部４１４ｈを左右の両側面４１４ａ，４１４ｇのうちの一方の側面４１４ｇのみに形成したのもこの振動を受けるのを抑えるための工夫の１つである。このように一方の側面４１４ｇのみがＨＤＤユニット４３０と接触するようにすることで、ＨＤＤユニット４３０への振動伝達量を抑制している。また、突起部４１４ｈと切欠部４３２ｅとによるＨＤＤユニット４３０の動きの規制は片側のみで十分だからである。
【００５５】
また、図１８に示すようにＨＤＤ本体４３１には、左右の両側面４３１ｄ，４３１ｅそれぞれについて、前端面４３１ｃ寄りの位置と後端面４３１ｆ寄りの位置との２箇所にネジ穴４３１ｎが形成されている。これに対し、カバー部材４３２には、ネジ止め用の穴４３２ｈはその左右の折曲部４３２ｂ，４３２ｃに１つずつしか形成されていない。しかもその穴４３２ｈは左右の折曲部４３２ｂ，４３２ｃに形成された片持ち梁形状に延びたアーム４３２ｉに形成されている。カバー部材４３２は、左右に１つずつ形成されている穴４３２ｈと、ＨＤＤ本体４３１の左右の前端面４３１ｃ寄りのネジ穴４３１ｎを使い、左右１ヵ所ずつだけネジ止めによりＨＤＤ本体４３１に固定されている。これも振動をＨＤＤ本体に伝え難くするための１つの工夫である。
【００５６】
さらに、図２１に示すように、カバー部材４３２の覆い部４３２ａの接地部４３２ｄ側の内面および左右の折曲部４３２ｂ，４３２ｃの接地部４３２ｄ側の内面には、クッション材４３２ｋが貼着されている。これらのクッション材４３２ｋにより、ＨＤＤ本体４３１の第１面４３１ａの後端面４３１ｆ寄りの部分および左右の側面４３１ｄ，４３１ｄの後端面４３１ｆ寄りの部分が支持される。これらのクッション材４３２ｋも、ＨＤＤ本体４３１への振動の伝達を低減するための工夫の１つである。
【００５７】
（スピーカ取付構造）
前述した図２、図３に示すように演算ユニット２０の上面の奥側には左右一対の放音口２４が形成されている。これに放音口２４の直ぐ内側には各スピーカ（後述する）が配置されており、それらのスピーカから発せられる音は放音口２４から外部に放音される。
【００５８】
図２２は、演算ユニット２０の上面の奥側のカバー部材を取り外し、さらにスピーカも取り外した状態のノートＰＣを示す図である。図２、図３に示す電源ボタン２２、ファンクションボタン２３、放音口２４は、そのカバー部材に設けられており、一緒に取り外されている。
【００５９】
また、図２３、図２４は、それぞれ左側および右側のスピーカ配置部を示した拡大斜視図である。これらの図２２、図２３は、図２２の状態からさらにキーボード２５を取り外し、表示ユニット３０も取り外すなどさらに分解を進めた状態の図である。
【００６０】
基板４４０には、左右一対のスピーカ配置部４４１が形成されている。これら一対のスピーカ配置部４４１は、基板４４０に設けられた、図示の通りの異形の開口である。スピーカ配置部４４１を形成している開口の周囲には、両面粘着テープ４４２が貼着されている。この両面粘着テープ４４２は、クッション性の両面粘着テープであって、開口の周縁を取り巻いて継ぎ目なく一周する形状（環状）を有している。また、一対のスピーカ配置部４４１のそれぞれには、スピーカ（後述する）の位置決め用の２つの立設部４４３と２本の立設ピン４４４が設けられている。
【００６１】
図２５は、スピーカを背面側から見たときの斜視図である。
【００６２】
このスピーカ４５０は、図２５に示す背面４５１に対する裏面側に、振動により音を放出する放音面４５２（図２６、図２７参照）を有する。このスピーカ４５０は、その背面４５１又は放音面４５２に対し垂直方向から見たときに矩形形状を有し、その矩形の４隅には穴４５０ａが設けられている。このスピーカ４５０の背面は、図２５に示すように異形に突出しており、基板４４０にスピーカ配置部４４１に形成されている開口はそのスピーカ４５０の背面を受け入れる形状を有している。さらにその開口は、以下に説明するようにスピーカ４５０の周縁を部分的にのみ支持するための形状を有している。
【００６３】
図２６、図２７は、それぞれ左側および右側のスピーカ配置部にスピーカが配置された状態を示した拡大斜視図である。
【００６４】
スピーカ４５０は、背面４５１（図２５参照）の突起が開口に入り込むとともにその背面側の周縁が両面粘着テープ４４２の上に乗るように配置される。また、このスピーカ４５０はその矩形の２つの角部が立設部４４３に突き当てられるともに４つの穴４５０ａのうちの２つの穴に立設ピン４４４が入り込むことにより位置決めされている。
【００６５】
ここで、スピーカ配置部４４１には異形の開口が形成されており、その異形の開口の縁をなぞるようにして両面粘着テープ４４２が置かれている。このため、このスピーカ配置部４４１に配置されたスピーカ４５０は、その背面の周縁が、両面粘着テープ４４２に、その両面粘着テープ４４２が一周する間に断続的に重なっている。具体的には、このスピーカ４５０の矩形の４隅は両面粘着テープ４４２に重なり、その矩形の４辺それぞれの中央部は両面粘着テープ４４２がスピーカ４５０から外に外れた経路で取り巻いているため重なっていない。このように、両面粘着テープ４４２としてクッション性の両面粘着テープ４４２を使うことによりスピーカ４５０の振動を基板４４０に伝わりにくくしているとともに、スピーカ４５０を断続的に支持することによってその振動を基板４４０に一層伝わりにくくしている。
【００６６】
図２８は、スピーカ等を覆うカバー部材とキーボードの双方を取り外した状態の演算ユニット上面側を示した図である。また図２９は、図２８に示す状態からさらにスピーカを取り外した状態の演算ユニット上面側を示した図である。
【００６７】
スピーカ４５０を支持する基板４４０は、キーボード２５の下にも広がってキーボード２５を支持する支持部材としての役割りも兼ねている。この基板４４０はさらに、キーボード２５よりも手前側では演算ユニット２０の外面を形成している。このように、この基板４４０は、演算ユニット２０の筐体２１の上面側を担う上面カバーである。ここで、この基板４４０は、スピーカ配置部４４１（図２２参照）とキーボードの下に広がる領域との間が細い腕部４４５で繋がれている。スピーカ４５０から見たときのキーボードのさらに先には、ＨＤＤユニット４３０が塔載されている。このＨＤＤユニット４３０は比較的振動に弱い部品であり、基板４４０の腕部４４５は、スピーカ４５０の振動をキーボードやその先のＨＤＤユニット４３０に伝わり難くするための一工夫である。
【００６８】
（クリックボタン構造）
図３０は、上述したスピーカの支持を担う基板を兼ねた上面カバーの裏面側を示した図である。また図３１は、上面カバー裏面の、支持金具の部分を示す拡大斜視図である。
【００６９】
この図３０、図３１には、指紋センサ２８やその指紋センサ２８の左右の操作ボタン２７（例えば図２、図２９参照）等の裏面側に置かれた支持金具４５１が、その底面を上にして示されている。
【００７０】
図３２は、その支持金具を前面カバーから取り外して、図３０、図３１に示す底面とは逆側の上面側を示した拡大斜視図である。
【００７１】
この図３２に示すように、支持金具４５１の上面には回路基板４５２が固定されている。その回路基板４５２には、その左右の中央に指紋センサ２８が搭載され、左右両側にはそれぞれスイッチ４５３が塔載されている。指紋センサ２８は上面カバーに形成された開口４４６（図３３参照）から演算ユニット２０の上面に露出している。また、左右両側の各スイッチ４５３は、各スイッチ４５３の中央部の押下点４５３ａへの押下を受けて状態が切り替わるスイッチである。各スイッチ４５３は、演算ユニット２０の上面の各操作ボタン２７（図２、図２９参照）の押下により、各押下点４５３ａが各操作ボタン２７で押される構造となっている。
【００７２】
図３３は、図３１、図３２に示す、回路基板付きの支持金具を取り外して、指紋センサを間に挟む２つの操作ボタンの内面を示した斜視図である。また図３４、図３５は、それぞれ、左右の各操作スイッチの内面を示す拡大斜視図である。
【００７３】
図３３〜図３５に示すように、各操作ボタン２７は、左右に長い略長方形形状を有している。各操作ボタン２７は、長方形形状の中央よりも指紋センサ４８を露出させる開口４４６側に寄った位置に、その内面から突出した作用ピン２７１を有する。この作用ピン２７１は、回路基板４５２（図３２参照）上のスイッチ４５３の押下点４５３ａに対面した位置に形成されている。すなわち、２つの操作ボタン２７の中央どうしの距離は、回路基板４５２に塔載された２つのスイッチ４５３どうしの距離よりも大きくなっている。操作ボタン２７が押下されると、その作用ピン２７１がスイッチ４５３の押下点４５３ａを押下し、スイッチ４５３の状態を切り替える。また各操作スイッチ２７は、その長方形形状の中央よりも、作用ピン２７１とは反対側に外れた位置に、その内側から突出したリブ２７２を有する。このリブ２７２は操作スイッチ２７が強く押されたときに支持金具４５１（図３２参照）の上面に突き当たり、操作ボタン２７がそれ以上押されないようにするためのものである。
【００７４】
また、各操作ボタン２７からは、その周面から各操作ボタン２７ごとに４本の弾性アーム４３３が延び、固定ピン４３４により上面カバーに固定されている。これらの弾性アーム４３３は、操作ボタン２７を上面カバーに支持するとともに、操作ボタン２７が押下を受けたときに弾性的に変形して操作ボタン２７を変位させるアームである。ここで、各操作ボタン２７につき４本の弾性アーム４３３のうち、開口４４６側に繋がっている２本の弾性アーム４３３ａは相対的に細幅のアームであり、開口４４６から離れた側に繋がっている２本の弾性アーム４３３ｂは相対的に太幅のアームである。これは、各操作ボタン２７の作用ピン２７１が開口４４６側に片寄った位置にあることに起因している。すなわち、操作ボタン２７は指の幅に比べかなり左右方向に大きな寸法の操作ボタンである。このため、この操作ボタン２７は開口４４６寄りが押されることがあれば開口４４６から離れた側が押されることもある。操作ボタン２７のどの位置を押されても作用ピン２７１によりスイッチ４５３（図３２参照）が確実に押されることが必要である。
【００７５】
ここでは、操作ボタン２７の開口４４６に近い側を支える弾性アーム４３３ａを相対的に細径とすることにより開口４４６に近い側を相対的に小さな弾性係数で支えている。一方、開口４４６から離れた側は相対的に太径とすることにより開口４４６から離れた側を相対的に大きな弾性係数で支えている。これにより、スイッチ４５３の確実な押下を実現している。すなわち、操作ボタン２７の開口４４６寄り、つまり、弾性アーム４３３ｂよりも弾性アーム４３３ａ寄りが押されたときは、そのままその押下の力により、特に開口４４６側の弾性アーム４３３ａが撓んで作用ピン２７１によりスイッチ４５３が押される。また、操作ボタン２７の開口４４６から離れた側、つまり、弾性アーム４３３ａよりも弾性アーム４３３ｂ寄りが押されたときも、操作ボタン２７の開口４４６から離れた側は相対的に太径の弾性アーム４３３ｂで支持されているため変形しにくく、その操作ボタン２７３を押した力は操作ボタン２７の開口４４６側を支える弾性アーム４３３ａにも伝わって開口４４６側の弾性アーム４３３ａを変形させる。したがって、操作ボタン２７の開口４４６から離れた側が押下された場合も、作用ピン２７１によりスイッチ４５３が確実に押下される。
【００７６】
ここで仮に、操作ボタン２７の中央に作用ピン２７１を形成することを考えると、その作用ピン２７１に対面するようにスイッチ４５３（図３２参照）を配置する必要がありそのスイッチ４５３を塔載する回路基板４５２の寸法が大きくなり、支持金具４５１も大寸法になる可能性がある。この場合、回路基板４５２等が部品を配置するのに必要なスペース以上に大寸法となり、小型化、高密度実装化の要請に反する結果となる。
【００７７】
一方、図３２に示すスイッチ４５３の位置はそのままにして、作用ピン２７１が操作ボタン２７の中央に位置するように操作ボタン２７の寸法を縮めることも考えられる。しかしながら、操作ボタン２７の配置位置や寸法は操作性やデザインにも影響する。このためスイッチ４５３の上に操作ボタンの中央を重ねることができない場合もある。
【００７８】
ここでは、弾性アーム４３３の太さを変えることにより、この点の解決が図られ、スイッチ４５３の配置位置に対する操作ボタン２７の寸法や配置位置の自由度を上げている。
【００７９】
尚、操作ボタン２７の作用ピン２７１寄りを相対的に小さな弾性係数で支え作用ピン２７１から離れた側を相対的に大きな弾性係数で支えれば、スイッチ４５３の確実な押下を実現できる。ここでは、弾性アーム４３３の太さを調整することによってスイッチ４５３の確実な押下を実現している。しかしながら、弾性アーム４３３の幅の調整に寄らずに、あるいは弾性アーム４３３の幅の調整とともに、他の要素を調整してもよい。他の要素としては、弾性アームの長さ、本数、操作ボタン２７との接続位置等がある。つまり、弾性アーム４３３は、その長さを長くするほど弾性係数を小さくすることができ、短くするほど弾性係数を大きくすることができる。また、弾性アーム４３３は、その本数を多くするほど弾性係数を大きくすることができる。また、弾性アーム４３３は、操作ボタン２７との接続位置を操作ボタン２７の作用ピン２７１に近くにするほど、操作ボタン２７への押下操作に対する作用ピン２７１の押下に影響を及ぼすことができる。
【００８０】
（コネクタ取付構造）
図３６は、演算ユニットの、上面カバーを取り外した状態の斜視図である。
【００８１】
この図３６は、図２９に示した状態から、さらに図３０に示す上面カバー４４０を取り外した状態を示している。
【００８２】
この図３６には、演算ユニット２０の筐体２１（図２参照）の底面側を担う底面カバー２１９の内面が示されており、その底面カバー２１９上に大きく広がるメイン基板４６０が塔載されている。この図３６に示すメイン基板４６０には、後述するファン４７１（図３７参照）に空気を送り込むための開口４６１が形成されている。
【００８３】
図３７は、そのメイン基板の、図３６に示す面に対する裏側の面を示す斜視図である。
【００８４】
この図３７に示すメイン基板４６０上には、多数の部品が密に配置されている。ここでは、これらの多数の部品のうちの、以下の説明に必要な部品のみについて説明する。この図３７には、発熱電子部品であるＣＰＵモジュール４６２（図４５参照）を空冷するための放熱モジュール４７０が塔載されている。この放熱モジュール４７０は、ファン４７１と、放熱フィン４７２と、それらファン４７１および放熱フィン４７２を支持する基体４７３とを備えている。この放熱モジュール４７０の詳細は後述する。またこの図３７に示すメイン基板４６０には、電源用のコネクタ４８１とそのコネクタ４８１を支持する支持金具４８２が塔載されている。以下では電源用のコネクタ４８１とそれを支持する支持金具４８２について先に説明する。
【００８５】
図３８、図３９は、メイン基板の図３７に示す側の面をそれぞれ別の視点から見たときの、電源用のコネクタの部分の拡大斜視図である。ただし、図３８では、支持金具４８２をメイン基板４６０に固定するためのネジ４９０（図４０参照）は取り外されメイン基板４６０上に形成された、ネジ４９０が貫通する穴４６３が示されている。また図４０はメイン基板の、図３７に示す面に対する裏面、すなわち図３６に示す面の、電源用コネクタの部分の拡大斜視図である。さらに、図４１は、電源用コネクタ単独の斜視図、図４２、図４３は支持金具をそれぞれ別の視点から見て示した斜視図である。さらに図４４は、電源用のコネクタに支持金具を組み合わせた状態の斜視図である。
【００８６】
ここに示す電源用のコネクタ４８１は、図３に示す演算ユニット２０の右側面の電源差込口２１１の直ぐ内側に配置され、その電源差入口２１１に差し込まれたＡＣアダプタ（図示せず）のコネクタと組み合うコネクタである。
【００８７】
ここでは、メイン基板４６０の、電源用のコネクタ４８１が置かれた側の面（図３７〜図３９に示す面）を「第１面」と称し、その裏面（図３６、図４０に示す面）を「第２面」と称する。
【００８８】
図４１に示すように、電源用のコネクタ４８１はその前面４８１ａに開口４８１ｂを有し、左右の側面４８１ｃ，４８１ｄには縦に延びる突起４８１ｅ，４８１ｆが形成されている。一方、支持金具４８２は、図４２，図４３に示すように、コネクタ４８１の上面４８１ｇ（図４１参照）に接する基部４８２ａと、基部４８２ａから折れ曲がり、コネクタ４８１の各側面４８１ｃ，４８１ｄに接する折曲部４８２ｂ，４８２ｃとを有する。また、この支持金具４８２には、コネクタ４８１の開口部４８１ｂを左右から挟む位置に形成されコネクタ４８１の前面４８１ａの左右の縁を押える左右の押え部４８２ｄ，４８２ｅを有する。また、この支持金具４８２は、左側の押え部４８２ｄの先端からメイン基板４６０の第２面側に折れ曲がりネジ穴４８３ｆが形成された固定部４８３ｇを有する。さらにこの支持金具４８２は、右側の押え部４８２ｅの先端からメイン基板４６０の第２面側に折れ曲がってメイン基板４６０に係止される鉤部４８２ｈを有する。
【００８９】
この支持金具４８２は、図４４に示すように、コネクタ４８１の前面４８１ａ（図４１参照）と左右の側面の縦に延びる突起４８１ｅ，４８１ｆを、左右の押え部４８２ｄ，４８２ｅと左右の折曲部４８２ｂ，４８２ｃとで挟んでコネクタ４８１を支持している。
【００９０】
この支持金具４８２は、図３８、図３９に示すように、メイン基板４６０の第１面上の規定位置に置かれた状態のコネクタ４８１を支持する。この支持状態では支持金具４８２の固定部４８２ｇおよび鉤部４８２ｈは、コネクタ４８１を間に置く左右からメイン基板４６０の第２面側に回り込み、コネクタ４８１をメイン基板４６０の第１面上に固定する。メイン基板４６０には、支持金具４８１の固定部４８２ｇに設けられたネジ穴４８２ｆと連通する穴４６３（図３８参照）が形成されている。この支持金具４８２は、メイン基板４６０上の穴４６３と支持金具４８２のネジ穴４８２ｆとを使って、メイン基板４６０の第１面側から、一本のネジ４９０でメイン基板４６０自体に固定されている（図４０参照）。
【００９１】
従来は、コネクタを支持する支持金具を固定するにあたっては、別の板金部材を用意しその板金部材と支持金具とでメイン基板４６０を挟んでネジ止めしたり、あるいは支持金具の直ぐ傍の部品ないし部材にその支持金具をネジ止めするのが通常である。
【００９２】
これに対し、ここでは、支持金具４８２が別部品又は別部材なしでメイン基板４６０にネジ止めされている。ここでは、このように支持金具固定のための部品点数の増大や部品や部材のレイアウト上の制限を迎くことなく、支持金具４８２が固定される。
【００９３】
（冷却用通風路構造）
ここでは、図３７に示したメイン基板４６０上の放熱モジュール４７０について説明する。
【００９４】
図４５は、放熱モジュールを取り外した状態のメイン基板の、図３７に示す第１面を示す斜視図である。
【００９５】
この図４５には、メイン基板４６０の第２面（図３７、図４５に示す第１面に対する裏面）側の空気をファン４７１（図３７、図４７参照）に取り込むための開口４６１が形成され、また、放熱フィン４７２が密着するＣＰＵモジュール４６２が示されている。このＣＰＵモジュール４６２は動作時に発熱し、放熱モジュール４７０で強制的に冷却する必要のある発熱電子部品である。
【００９６】
図４６は、メイン基板を取り外した状態の、底面カバーの内側を示した斜視図である。
【００９７】
この底面カバー２１９は、演算ユニット２０の筐体２１（図２参照）を構成し、演算ユニット２０の底面側を覆うカバーである。この底面カバー２１９には、ファン４７１（図３７、図４７参照）から吹き出され放熱フィン４７２を通過した空気を吹き出すための空気放出開口４４１（図６も合わせて参照）が形成されている。また、この底面カバー２１９にはＨＤＤユニット４３０が配置されるＨＤＤユニット収容開口４１４が形成されている（図１０を合わせて参照）。また、この底面カバー２１９の内側にはメイン基板４６０上の電子部品が電磁ノイズを受けにくくするため、およびメイン基板４６０上の電子部品が発する電磁ノイズを外部に洩れにくくするためのシールド板４８０が広がっている。
【００９８】
このシールド板４８０には、ファン４７１に対面（図４５参照）する位置に開口４８０ａが形成され、底面カバー２１９が剥き出しとなっている。この開口４８０ａは、ファン４７１の空気吹込口の前面を少しでも広く開けて、ファン４７１により多くの空気を流入させるための措置である。
【００９９】
また、このシールド板４８０の開口４８０ａに近接した位置にそのシールド板４８０の一部が切り起こされた切起し片４８０ｂが形成されている。また、このシールド板４８０の切起し片４８０ｂよりも空気放出開口４４１寄りの位置に、複数の切起し切片４８０ｃが形成されている。これらの切起し切片４８０ｃは、放熱モジュール４７０を構成する放熱フィン４７２や基体４７３（図４７参照）に接触してそれらを接地するためのものである。
【０１００】
ここで、図４５に示すメイン基板４６０は、さらに放熱モジュールが塔載された状態で（すなわち、図３７に示す状態で）、図４５に示す第１面をシールド板４８０に向け、シールド板４８０との間に間隔を置いて配置される。
【０１０１】
図４７は、放熱モジュールを示す斜視図である。この図４７には、図４６に示すシールド板４８０に対面する側の面が示されている。
【０１０２】
また、図４８は、放熱モジュールを、メイン基板から取り外した状態のまま、底面カバー内の規定位置に置いた状態を示す斜視図である。
【０１０３】
放熱モジュール４７０は、ファン４７１と放熱フィン４７２と、それらファン４７１や放熱フィン４７２を支持する基体４７３を備えている。基体４７３は、ダイキャスト製の重量のある厚い金属製の部材である。この基体４７３のファン４７１を支持する部分には、図４８に示すように、ファン４７１に空気を流入させるための開口４７３ａが形成されている。このファン４７１には基体４７３に設けられた開口４７３ａおよびメイン基板４６０に設けられた開口４６１（図４５参照）を通ってメイン基板の第２面（図４５に示す第１面の裏側の面）側から空気が吸い込まれる。このファン４７１は、シールド板４８０（図４６参照）との間に間隔を置いた位置に支持されており、このファン４７１には、シールド板４８０側からも空気が吸い込まれる。
【０１０４】
このファン４７１は、このように上下の空気吹入口から吸い込んだ空気を放熱フィン４７２に向けて吹き出す。また放熱フィン４７２はメイン基板４６２の第１面に塔載されたＣＰＵモジュール４６２に密着するように、基体４７３に対しＣＰＵモジュール４６２側（シールド板４８０から離れる側）にバネ付勢されている（バネは不図示）。放熱フィン４７２は、このバネ付勢によりＣＰＵモジュール４６２に密着して動作時のＣＰＵモジュール４６２から吸熱する。この放熱フィン４７２はＣＰＵモジュール４６２に密着してＣＰＵモジュール４６２に押され、その放熱フィン４７２の空気取入口４７２ａがファン４７１からの送風を受け入れる位置まで変位する。その位置まで変位した放熱フィン４７２および基体４７３にシールド板４８０の切起し切片４８３が接触し、放熱フィン４７２や基体４７３が接地される。
【０１０５】
ここで、ファン４７１は、演算ユニット２０内で上下両面から空気を吸い込む必要があり、放熱フィン４７２はメイン基板４６０上のＣＰＵモジュール４６２に密着している必要がある。また、一方ではこの演算ユニット２０はできる限り薄型に構成されている。ファン４７１や放熱フィン４７２を、このような必要な条件を満足する位置に配置すると、演算ユニット２０の厚み方向について放熱フィン４７２の方がファン４７１よりも底面側（シールド板４８０側）に偏倚した位置に配置されることになる。このため、この放熱モジュール４７０の基体４７３には、ファン４７１と放熱フィン４７２との中間に斜面４７３ｂが形成されている。この斜面４７３ｂはファン４７１からの送風を放熱フィン４７２の空気取入口４７２ａに向けてスムーズに流すためのものである。また、この基体４７３の、その斜面４７３ｂが形成されたファン４７１と放熱フィン４７２との間の両側には、ファン４７１からの送風が横に洩れるのを防止するための一対の立壁４７３ｃが設けられている。この放熱モジュール４７０は、メイン基板４６０に塔載された上で、図４８に示すように、ファン４７１から送り出され放熱フィン４７２を経由した風が空気放出開口４４１（図６、図４６参照）から外部に放出される位置に配置される。
【０１０６】
図４９は、図４８のＸ−Ｘ断面図である。
【０１０７】
放熱モジュール４７０の基体４７３には、上述したように、ファン４７１と放熱フィン４７２との間の空気通路に斜面４７３ｂと一対の立壁４７３ｃが形成されている（図４７参照）。ただし、このままではファン４７１からの送風がシールド板４８０に洩れてしまい効率が低下する。そこで、ここでは、シールド板４８０に切起し片４８０ｂ（図４６、図４８参照）が形成され、その切起し片４８０ｂがファン４７１と放熱フィン４７２との間の空気流路を塞いで、斜面４７３ｂに沿って流れる空気をその斜面４７３ｂに沿って斜めに導く形状となっている。すなわち、基体４７３の斜面４７３ｂや一対の立壁４７３ｃとシールド板４８０の切起し片４８０ｂとで、ファン４７１と放熱フィン４７２との間に、空気を導くためのダクト構造が形成されている。このように、ここでは本来必要なシールド板４８０に切起し片４８０ｂを形成するだけで、別部材を追加することなくダクト構造が形成され、放熱の効率向上が図られている。
【０１０８】
（表示部フック構造）
ここでは、例えば図２に示す、表示ユニット３０の前面上部のフック３３や、表示ユニット３０の、開状態における上面（閉状態における前端面）３０１から突出した係止解除ボタン３４等からなるフック構造について説明する。フック３３は、表示ユニット３０を演算ユニット２０上に閉じたときに、演算ユニット２０の上面に設けられたロック用の穴２９に入り込んで表示ユニット３０を閉状態にロックするための係止突起である。また係止解除ボタン３４は、その係止解除ボタン３４を押下することによりフック３３を係止解除位置に移動させて、ロック用の穴２９との係止を解除させるボタンである。
【０１０９】
図５０、図５１は、表示ユニット３０（図２参照）に設けられたフックおよび係止解除ボタンの部分の拡大斜視図である。図５０は、係止解除ボタン３４が表示ユニット３０の上面（前端面）３０１から突出した状態を示した図、図５１は、係止解除ボタン３４が押下された状態を示した図である。
【０１１０】
図５０に示す、係止解除ボタン３４が上面（前端面）３０１から突出した状態のまま表示ユニット３０を演算ユニット２０上に閉じると、フック３３は、演算ユニット２０のロック用の穴２９に入る。その穴２９に入るときに斜面３３ａで一旦横に押され、その後図５０に示す位置に戻り、ロック用の穴２９内で係止される。
【０１１１】
係止解除ボタン３４が図５１に示すように押されると、フック３３が横に移動し、この表示ユニット３０が閉状態にあるときにロック用の穴２９との係合が外れ、表示ユニット３０を開状態に持ち上げ得る状態になる。
【０１１２】
図５２は、表示ユニットのフックおよび係止解除ボタンの部分の断面図である。
【０１１３】
表示ユニット３０の開状態における上面３０１には、その表示ユニット３０の背面から前面に向かって途中まで水平の第１面３０１ａが形成され、その第１面３０１ａに続き下り斜面３０１ｂが形成されている。尚、第１面３０１ａは背面から前面に向かって上り斜面に形成されていてもよい。ここで第２面３０１ｂは、第１面３０１ａ側（背面側）ほど急斜面に形成された曲面である。
【０１１４】
表示ユニット３０の筐体３１は、表示ユニット３０の前面の表示画面３２の周囲を覆う前面カバー３１１（図２を合わせて参照）と、表示ユニット３０の背面を覆う背面カバー３１２（図１を合わせて参照）とから構成されている。そして、開状態における上面３０１の第２面３０１ｂは前面カバー３１１に形成されている。係止解除ボタン３４は、その前面カバー３１１から突出している。したがって閉状態にある表示ユニット３０を開状態に開こうとするときは、係止解除ボタン３４を押しそのまま第２面３０１ｂに指を掛けて表示ユニット３０の前端面（開状態における上面）３０１を持ち上げればよく良好な操作性を有する。この第２面（斜面）３０１ｂは係止解除ボタン３４の周囲のみでもよいが、前端面（開状態における上面）の左右全域に設けると、この斜面（第２面）３０１ｂにより表示ユニット３０の厚さが薄く見え、デザイン上も有利である。
【０１１５】
図５３は、比較例を示した、図５２に対応する図である。
【０１１６】
この図５３に示す比較例では、係止解除ボタン３４は上面（前端面）３０１の、背面カバー３１２側から突出している。この場合、図５２に示す第２面（斜面）３０１ｂが形成されないかあるいは形成しても厚み方向について僅かな領域しか形成できない。このため、係止解除ボタン３４を押しても指を掛ける部分がなく、表示ユニット３０を開状態に持ち上げにくく、操作性が悪い。また、表示ユニット３０を薄く見せにくくデザイン上も不利である。
【０１１７】
図５４は、表示ユニットの前カバーの内面を示した斜視図である。また図５５は、前カバー内面の、フック等からなるフック構造の部分の拡大斜視図である。
【０１１８】
フック３３や係止解除ボタン３４等からなるフック構造は、図示のように前面カバー３１１の内面側に組み込まれている。
【０１１９】
図５６は、このフック構造の部分の分解斜視図である。
【０１２０】
ここには、前面カバー３１１と、その前面カバー３１１に組み込まれる、フック３３が形成された第１フック部材５０１、係止解除ボタン３４が形成された第２フック部材５０２、フックホルダ５０３、およびコイルバネ５０４が示されている。
【０１２１】
第１フック部材５０１は、フック３３が前面カバー３１１の開状態における前面の上部に形成された開口３１１ａから突出し、前面カバー３１１に立設した２つのピン３１１ｃに第１フック部材５０１の２つの長穴５０１ａが差し込まれた状態に配置される。また、このとき、第１フック部材５０１の横から延びるアーム５０１ｃにコイルバネ５０４が装着され、このアーム５０１ｃの先端は前面カバー３１１の開口３１１ｅから突出し、コイルバネ５０４は、その開口周囲の壁との間に挟まれた状態となる。また、第１フック部材５０１には、第２フック部材５０２が重ねられる側の面に斜めに延びた２つの案内突部５０１ｂが形成されている。
【０１２２】
図５７は、第２フック部材のフックホルダ側の面（Ａ）と第１フック部材側の面（Ｂ）を示した平面図である。また、図５８は、第２フック部材のフックホルダ側の面（Ａ）と第１フック部材側の面（Ｂ）を示した斜視図である。この第２フック部材５０２は、その両側に係止爪５０２ａが形成されている。前面カバー３１１の開状態における上面には、図５６に示すように、係止解除ボタン３４が突出する開口３１１ｂが形成されている。この係止解除ボタン３４を含む第２フック部材５０２は、前面カバー３１１の開口３１１ｂに外側から差し込まれる。するとその第２フック部材５０２の両側の係止爪５０２ａがその開口３１１ｂの両側の縁に押されて一旦内側に撓み、係止爪５０２ａが開口３１１ｂを通過する位置まで第２フック部材５０２が差し込まれると再び係止爪５０２ａが開き、それらの係止爪５０２ａが前面カバー３１１の内面に係止されて第２フック部材５０２が抜けない状態となる。ここではこのように第２フック部材５０２を外側から開口３１１ｂに差し込む構造としたことにより、このフック構造の組立てを容易にしている。またこの第２フック部材５０２の第１フック部材５０１側の面には、斜めに延びる２本の案内溝５０２ｂが形成されている。この斜めに延びる案内溝５０２ｂには、第１フック部材５０１の斜めに延びる案内突起５０１ｂが入り込む。したがって係止解除ボタン３４が押されると第２フック部材５０２が前面カバー３１１の内側に移動し、第２フック部材５０２の斜めの案内溝５０２ｂにより第１フック部材５０１の斜めの案内突起５０１ｂが押される。すると、第１フック部材５０１がコイルバネ５０４のバネ付勢に抗して横に移動し、この移動によりフック３３が係止解除位置に移動する（図５１参照）。係止解除ボタン３４から指を離すと、コイルバネ５０４の付勢力により第１フック部材５０１が押され元の位置に戻り、その動きに応じて第２のフック部材５０２が係止解除ボタン３４を突出させる方向に移動する。
【０１２３】
前面カバー３１１には、第１フック部材５０１の２つの長穴５０１ａに入り込んで第１フック部材５０１の動きをガイドする２本のピン３１１ｃのほか、さらに２本のピン３１１ｄが形成されており、それら４本のピン３１１ｃ，３１１ｄはフックホルダ５０３の４つの穴５０３ａにそれぞれ挿入されて固定される。
【０１２４】
ここでは、このようなフック構造により、閉状態において表示ユニット３０を演算ユニット２０に係止させ、および係止解除ボタン３４の押下により係止解除させる構造を実現している。
【符号の説明】
【０１２５】
１０    ノートＰＣ
２０    演算ユニット
２１，３１    筐体
２２    電源ボタン
２３    ファンクションボタン
２４    放音口
２５    キーボード
２６    トラックパッド
２７    操作ボタン
２８    指紋センサ
２９    ロック用の穴
３０    表示ユニット
３１    筐体
３２    表示画面
３３    フック
３４    係止解除ボタン
３５    パッド
４０    回転軸
２１１    電源差入口
２１２    バッテリ収容開口
２１３    支持縁
４１４    ＨＤＤユニット収容開口
２１９    底面カバー
２７１    作用ピン
３０１    表示ユニットの開状態における上面（閉状態における前端面）
３０１ａ    第１面
３０１ｂ    第２面
３１１    前面カバー
３１１ｂ，３１１ｅ  開口
３１１ｃ，３１１ｄ    ピン
３１２    背面カバー
４１４    ＨＤＤユニット収容開口
４１４ａ，４１４ｇ    側壁
４１４ｂ    角部
４１４ｃ    前壁
４１４ｄ    穴
４１４ｅ    窪み
４１４ｈ    突起部
４１４ｉ    底面
４１６    接地用部材
４２０    バッテリ
４２１    バッテリ本体部
４２２    バッテリ蓋部
４２２ａ    鉤部
４３０    ＨＤＤユニット
４３１    ＨＤＤ本体
４３１ａ    第１面
４３１ｂ    第２面
４３１ｃ    前端面
４３１ｄ，４３１ｅ    左右の側面
４３１ｆ    後端面
４３１ｇ    回路基板
４３２    カバー部材
４３２ａ    覆い部
４３２ｂ，４３２ｃ    左右の折曲部
４３２ｅ    鈎形の切欠部
４３２ｆ    第１の切欠部
４３２ｇ    第２の切欠部
４３２ｈ    ネジ止め用の穴
４３２ｉ    アーム
４３２ｋ    クッション材
４３３，４３３ａ，４３３ｂ    弾性アーム
４３９    蓋体
４３９ａ    覆い部
４３９ｂ    延在部
４３９ｃ    爪部
４３９ｄ    突部
４４０    基板（上面カバー）
４４１    スピーカ配置部
４４２    両面粘着テープ
４４３    立設部
４４４    立設ピン
４５０    スピーカ
４５１    スピーカの背面
４５２    放音面
４５３    スイッチ
４５３ａ    押下点
４６０    メイン基板
４６１    開口
４６２    ＣＰＵモジュール
４６３    穴
４７０    放熱モジュール
４７１    ファン
４７２    放熱フィン
４７３    基体
４７３ｂ    斜面
４７３ｃ    立壁
４８０    シールド板
４８０ｂ    切起し片
４８１    電源用コネクタ
４８２    支持金具
４８２ａ    基部
４８２ｂ，４８２ｃ    折曲部
４８２ｄ，４８２ｅ    押え部
４８３ｆ    ネジ穴
４８３ｇ    固定部
４８３ｈ    鉤部
４９０  ネジ
５０１    第１フック部材
５０１ａ    長穴
５０１ｂ    案内突起
５０１ｃ    アーム
５０１ｅ    開口
５０２    第２フック部材
５０２ａ    係止爪
５０２ｂ    案内溝
５０３    フックホルダ
５０３ａ  穴
５０４    コイルバネ
【図１】
2010250514.tif 000003
【図２】
2010250514.tif 000004
【図３】
2010250514.tif 000005
【図４】
2010250514.tif 000006
【図５】
2010250514.tif 000007
【図６】
2010250514.tif 000008
【図７】
2010250514.tif 000009
【図８】
2010250514.tif 000010
【図９】
2010250514.tif 000011
【図１０】
2010250514.tif 000012
【図１１】
2010250514.tif 000013
【図１２】
2010250514.tif 000014
【図１３】
2010250514.tif 000015
【図１４】
2010250514.tif 000016
【図１５】
2010250514.tif 000017
【図１６】
2010250514.tif 000018
【図１７】
2010250514.tif 000019
【図１８】
2010250514.tif 000020
【図１９】
2010250514.tif 000021
【図２０】
2010250514.tif 000022
【図２１】
2010250514.tif 000023
【図２２】
2010250514.tif 000024
【図２３】
2010250514.tif 000025
【図２４】
2010250514.tif 000026
【図２５】
2010250514.tif 000027
【図２６】
2010250514.tif 000028
【図２７】
2010250514.tif 000029
【図２８】
2010250514.tif 000030
【図２９】
2010250514.tif 000031
【図３０】
2010250514.tif 000032
【図３１】
2010250514.tif 000033
【図３２】
2010250514.tif 000034
【図３３】
2010250514.tif 000035
【図３４】
2010250514.tif 000036
【図３５】
2010250514.tif 000037
【図３６】
2010250514.tif 000038
【図３７】
2010250514.tif 000039
【図３８】
2010250514.tif 000040
【図３９】
2010250514.tif 000041
【図４０】
2010250514.tif 000042
【図４１】
2010250514.tif 000043
【図４２】
2010250514.tif 000044
【図４３】
2010250514.tif 000045
【図４４】
2010250514.tif 000046
【図４５】
2010250514.tif 000047
【図４６】
2010250514.tif 000048
【図４７】
2010250514.tif 000049
【図４８】
2010250514.tif 000050
【図４９】
2010250514.tif 000051
【図５０】
2010250514.tif 000052
【図５１】
2010250514.tif 000053
【図５２】
2010250514.tif 000054
【図５３】
2010250514.tif 000055
【図５４】
2010250514.tif 000056
【図５５】
2010250514.tif 000057
【図５６】
2010250514.tif 000058
【図５７】
2010250514.tif 000059
【図５８】
2010250514.tif 000060